(57)【特許請求の範囲】
【請求項１】
電球からの出力光を反射させる反射部材を取外し可能に保持し得るようにした照明器具であって、一端に鍔が形成されたソケット取付部材と、このソケット取付部材の他端に取り付けられた電球ソケットと、この電球ソケットの外周を覆うように前記ソケット取付部材に係合保持され、前記鍔とで前記反射部材を挟持するものであり、前記電球の取付側の外部を前記ソケット取付部材側の外部よりも小径にし、かつ前記電球の取付側の内部を前記ソケット取付部材側の内部よりも大径にした筒状のソケットカバーとを備えたことを特徴とする照明器具。
【請求項２】
電球からの出力光を反射させる反射部と前記ソケット取付部材に挿通される貫通孔が形成された取付部とからなる反射部材を備えたものであって、この反射部材がその取付部をソケット取付部材に外嵌させた状態で前記鍔と前記ソケットカバーとで挟持することにより保持されていることを特徴とする請求項１記載の照明器具。
【請求項３】
前記ソケット取付部材の外周に雄ねじが刻設されると共に、前記ソケットカバーの内周に雌ねじが刻設され、前記ソケットカバーは前記ソケット取付部材に螺合されて係合保持されることを特徴とする請求項１又は２記載の照明器具。
【請求項４】
前記ソケット取付部材は、前記ソケットに接続されたコードが収納されるパイプ部材に取り付けられていることを特徴とする請求項１乃至３のいずれかに記載の照明器具。
【請求項５】
前記パイプ部材は、前記ソケット取付部材側の端部に前記ソケット取付部材を前記パイプ部材に対して屈曲可能にする自在継手を備えたことを特徴とする請求項４記載の照明器具。
【発明の詳細な説明】
【０００１】
【発明の属する技術分野】
本発明は、照明器具に係り、特には電球からの出力光を反射させるフードやシェード等の反射部材を取外し可能に保持できるようにした照明器具に関する。
【０００２】
【従来の技術】
従来、この種の照明器具は、フードやシェード等の反射部材を必要とする場合、電球ソケットにその反射部材をビスで締め付けて取り付ける一方、反射部材を必要としない場合、ビスによる締め付けを解除してその反射部材を取り外すことができるように構成されていた。このように構成された照明器具は、使用目的に応じて形状の異なる反射部材に取り替えることが可能となり、しかも反射部材を必要としないときには反射部材を取り外して使用することができるので、利便性に優れたものとなる。
【０００３】
【発明が解決しようとする課題】
しかしながら、上記従来の照明器具では、反射部材をビスで取り付けるようにしたものであるため、形状の異なる反射部材に取り替えたり、反射部材を取り外したりする場合、ドライバ等の工具を用いる必要があることから工具がないと取替え作業や取外し作業ができないことになるという問題があった。また、ドライバ等の工具があっても、例えば反射部材が長い筒状のフードである場合、そのフードの開口面とビスによる取付位置との間の距離が長くなることから取替え作業や取外し作業がやりづらくなるという問題があった。
【０００４】
本発明は、かかる事情に鑑みてなされたもので、反射部材の取替え作業や取外し作業を容易に行うことができる照明器具を提供することを目的とする。
【０００５】
【課題を解決するための手段】
上記目的を達成するため、請求項１の発明は、電球からの出力光を反射させる反射部材を取外し可能に保持し得るようにした照明器具であって、一端に鍔が形成されたソケット取付部材と、このソケット取付部材の他端に取り付けられた電球ソケットと、この電球ソケットの外周を覆うように前記ソケット取付部材に係合保持され、前記鍔とで前記反射部材を挟持するものであり、前記電球の取付側の外部を前記ソケット取付部材側の外部よりも小径にし、かつ前記電球の取付側の内部を前記ソケット取付部材側の内部よりも大径にした筒状のソケットカバーとを備えたことを特徴としている。
【０００６】
この構成によれば、反射部材をソケット取付部材の一端に形成された鍔と、ソケット取付部材に係合保持された筒状のソケットカバーとで挟持することにより保持し得ることになる。このため、ドライバ等の工具を用いなくても反射部材の取替え作業や取外し作業を容易に行うことができる。
【０００７】
また、請求項２の発明は、請求項１に係るものにおいて、電球からの出力光を反射させる反射部と前記ソケット取付部材に挿通される貫通孔が形成された取付部とからなる反射部材を備え、この反射部材がその取付部をソケット取付部材に外嵌させた状態で前記鍔とソケットカバーとで挟持することにより保持されていることを特徴としている。
【０００８】
この構成によれば、反射部材の取付部がソケット取付部材に外嵌された状態でソケット取付部材の鍔とソケットカバーとで挟持される。このため、反射部材を確実に保持することができる。
【０００９】
また、請求項３の発明は、請求項１又は２に係るものにおいて、前記ソケット取付部材の外周に雄ねじが刻設されると共に、前記ソケットカバーの内周に雌ねじが刻設され、前記ソケットカバーは前記ソケット取付部材に螺合されて係合保持されることを特徴としている。
【００１０】
この構成によれば、ソケットカバーがソケット取付部材に螺合により取り付けられる。このため、ドライバ等の工具を用いなくても反射部材の取替え作業や取外し作業を容易に行うことができる。
【００１１】
また、請求項４の発明は、請求項１乃至３のいずれかに係るものにおいて、前記ソケット取付部材が、前記ソケットに接続されたコードが収納されるパイプ部材に取り付けられていることを特徴としている。
【００１２】
この構成によれば、パイプ部材の先端が天井等の設置個所に取り付けられる。このため、所定位置に静止した状態で確実に取り付けることができ、ペンダントとして使用するのに適した照明器具を得ることができる。
【００１３】
また、請求項５の発明は、請求項４に係るものにおいて、前記パイプ部材は、前記ソケット取付部材側の端部に前記ソケット取付部材を前記パイプ部材に対して屈曲可能にする自在継手を備えたことを特徴としている。
【００１４】
この構成によれば、ソケット取付部材をパイプ部材に対して屈曲させることにより照明方向が変更される。このため、スポットライトとしての使用に適した照明器具を得ることができる。
【００１５】
【発明の実施の形態】
図１は、本発明の一実施形態に係る照明器具の使用態様の一例を示す外観斜視図であり、図２は、その要部の縦断面図である。これらの図において、照明器具１０は、一端に天井等の設置個所に取り付けるための取付部材１１が取り付けられたパイプ部材１２と、一端がパイプ部材１２の他端に取り付けられたソケット取付部材１３と、ソケット取付部材１３の他端に取り付けられた電球ソケット１４と、電球ソケット１４の外周を覆うように配設され、ソケット取付部材１３に係合保持されたソケットカバー１５と、ソケットカバー１５によりソケット取付部材１３に取外し可能に保持された反射部材であるフード１６と、パイプ部材１２の内部に挿通され、先端部が電球ソケット１４に接続された２本の芯線を有するコード１７とを備えている。
【００１６】
パイプ部材１２は、金属材料で構成されたものであり、合成樹脂材料で構成された取付部材１１に取り付けられてなる長尺のパイプ部１２１と、ソケット取付部材１３が取り付けられる自在継手１２２とで構成されたものである。この自在継手１２２は、パイプ部１２１を自在継手１２２部分で軸心周りに回転可能となるように取り付ける一方、ソケット取付部材１３をパイプ部材１２に対して屈曲可能となるように取り付けるようにしたものである。なお、この自在継手１２２の下端部には、ソケット取付部材１３の屈曲方向を規定するための切り欠き１２３が形成されている。
【００１７】
ソケット取付部材１３は、合成樹脂材料により円筒状に構成されたものであり、一端に鍔１３１が一体に形成され、外周面の下半部に雄ねじ１３２が刻設されてなるものである。また、鍔１３１の上面中央には筒体１３３が一体に形成されると共に、この筒体１３３上方の対向位置に外周面が球面にされた一対の嵌合突起１３４が形成され、この一対の嵌合突起１３４が自在継手１２２内に圧入されることにより自在継手１２２に取り付けられている。このため、ソケット取付部材１３は、その筒体１３３が切り欠き１２３に嵌まり込むことで嵌合突起１３４を中心にして切り欠き１２３方向に回動可能となり、パイプ部材１２に対して屈曲可能となる。
【００１８】
電球ソケット１４は、アルミナ等の絶縁材料によりソケット取付部材１３と略同径の円筒状となるように構成されたものであり、ソケット取付部材１３の底面に取り付けられた金具１３３にねじ止めされて固定されている。この電球ソケット１４の下部中央には、電球ＬＰの口金ＫＧを受け入れる受口１４１が配設されると共に、受口１４１の底面に電球ＬＰの電極ＤＫが当接する電極端子１４２が配設されている。なお、電球ＬＰとしては、ハロゲンランプや白熱ランプ等の種々のランプを必要に応じて用いることができる。
【００１９】
ソケットカバー１５は、合成樹脂材料により少なくともソケット取付部材１３と電球ソケット１４とを覆う長さを有する（本実施形態では、ソケット取付部材１３と電球ソケット１４とを合わせたものよりも長い長さを有している。）筒状に構成されたもので、上部内周面のソケット取付部材１３の雄ねじ１３２に対応する位置に雌ねじ１５１が刻設されており、この雌ねじ１５１がソケット取付部材１３の雄ねじ１３２に螺合されることによりソケット取付部材１３に係合保持されている。また、外周面には、長手方向に沿って所定ピッチで複数の線状突起（図１に実線で図示）が形成されており、手で把持するときの滑り止め効果に優れたものとなるようにされている。
【００２０】
また、このソケットカバー１５は、外周面にテーパを形成して下方外部が上方外部よりも小径となるようにされており、これによりソケットカバー１５の下方外部における把持が容易となるようにされている。また、内周面の雌ねじ１５１部分よりも下方にテーパを形成して下方内部が雌ねじ１５１部分よりも大径となるようにされており、これにより電球ソケット１４とソケットカバー１５との間に空間が形成されて電球ＬＰの形状が大きい場合でも電球ソケット１４への保持が可能となるようにされている。
【００２１】
フード１６は、合成樹脂、金属、ガラス等の適宜の耐熱材料により構成され、電球ＬＰ側が大径となるように形成された反射部１６１と、反射部１６１の小径側の端部に形成され、中央に貫通孔１６２を有する取付部１６３とからなる円錐台筒形状を有している。このフード１６は、取付部１６３が貫通孔１６２を介してソケット取付部材１３に外嵌され、その取付部１６３がソケット取付部材１３の鍔１３１とソケットカバー１５の端面とで挟持されて保持されている。
【００２２】
コード１７は、各芯線の一端が電球ソケット１４の受口１４１と電極端子１４２とにそれぞれねじ止め等の手段で接続されており、各芯線の他端が取付部材１１の図略の端子にそれぞれねじ止め等の手段で接続されている。
【００２３】
このように構成された照明器具１０は、パイプ部材１２の一端の取付部材１１が天井等の所定の設置個所に取り付けられ、コード１７の各芯線が接続された図略の端子が設置個所に配設されている配線端子に接続されて固定され、必要に応じてソケット取付部材１３が自在継手１２２部分で屈曲されることにより照明方向が設定される。そして、壁面等に設置されたスイッチがＯＮされて配線端子に給電されることにより電球ＬＰが点灯し、電球ＬＰからの出力光がフード１６の反射部１６１で反射されて被照明体を照明する。
【００２４】
また、フード１６を取り替える必要等が生じたときは、電球ＬＰを電球ソケット１４から取り外した後に、フード１６の開口から手を差し入れてソケットカバー１５の小径部分である下方外部を把持すると共に、所定方向に回転させることで螺合を解除し、ソケットカバー１５をソケット取付部材１３から取り外す。その後、フード１６の取付部１６３をソケット取付部材１３から取り外し、他のフード１６の取付部１６３をソケット取付部材１３に外嵌させると共に、ソケット取付部材１３にソケットカバー１５を螺合させ、ソケット取付部材１３の鍔１３１とソケットカバー１５の端面とで挟持して他のフード１６を保持する。なお、ソケットカバー１５の長さは、電球ＬＰの電球ソケット１４への保持可能な範囲内でフード１６の長さに合わせて把持し易い値に設定しておけばよい。
【００２５】
本発明の実施形態に係る照明器具１０は、上記のように、一端に鍔１３１が形成されたソケット取付部材１３と、ソケット取付部材１３の他端に取り付けられた電球ソケット１４と、電球ソケット１４の外周を覆うようにソケット取付部材１３に係合保持され、鍔１３１とでフード１６を挟持するものであり、電球ソケット１４に対する電球の取付側の外部をソケット取付部材１３側の外部よりも小径にし、かつ電球ソケット１４に対する電球の取付側の内部をソケット取付部材１３側の内部よりも大径にした筒状のソケットカバー１５とを備えているので、フード１６が長い筒状である場合でもドライバ等の工具を用いないでフード１６を取り外すことができるようになる結果、フード１６の取替え作業や取外し作業を容易に行うことができる。また、ソケットカバー１５が電球ソケット１４の外周を覆う構成となっているので、フード１６の開口から電球ソケット１４の外周が視認できないようになる結果、美観的に優れたものとすることができる。
【００２６】
なお、本発明の照明器具１０は、上記実施形態のものに限定されるものではなく、以下に述べるような種々の変形態様を採用することができる。
【００２７】
（１）上記実施形態では、フード１６は円錐台筒形状を有するものであるが、他の種々の形状のものを採用することができる。例えば、図３（ａ）に示すような全長に亘って同径となるように構成された円筒形のフード１６ａ、図４（ａ）に示すような開口側を斜めにカットした円筒形状を有するフード１６ｂ等でもよい。いずれの場合も、取付部１６３ａ，１６３ｂにソケット取付部材１３に外嵌するための貫通孔１６２ａ，１６２ｂが形成され、上記と同様の手段で保持される。図３（ｂ）及び図４（ｂ）は、それぞれフード１６ａ，１６ｂの各使用態様の一例を示す図である。
【００２８】
（２）上記実施形態では、反射部材としてフード１６を用いるようにしたものであるが、反射部材として図５（ａ）に示すようなシェード２０を用いることも可能である。このシェード２０は、例えば、すりガラスで構成され、中央に貫通孔２０１が形成された反射部を構成する平板状のシェード本体２０２と、下端にシェード本体２０２を受け止める鍔２０３が形成され、上面に貫通孔２０４が形成された取付部２０５を有する取付筒体２０６とで構成され、取付部２０５が貫通孔２０４を介してソケット取付部材１３に外嵌され、取付部２０５が上記と同様の手段で挟持されて保持される。図５（ｂ）は、シェード２０の使用態様の一例を示す図である。
【００２９】
（３）上記実施形態では、反射部材としてフード１６を用いるようにしたものであるが、フードやシェード等の反射部材を用いないで使用することも可能である。図６は、その使用態様の一例を示す図である。
【００３０】
（４）上記実施形態では、パイプ部材１２は自在継手１２２を設けて構成することによりソケット取付部材１３が屈曲可能となるようにしたものであるが、自在継手１２２を設けないで屈曲不能に構成することも可能である。また、ソケット取付部材１３を屈曲不能にしてもよい場合は、パイプ部材１２を用いないでソケット取付部材１３等の各部材をコード１７で直接吊るすような構成とすることも可能である。さらには、取付部材１１の構成についても図示のようなものに限らず、種々の構造のものを採用することができる。
【００３１】
（５）上記実施形態では、ソケットカバー１５は、螺合によりソケット取付部材１３に係合保持されるようにしたものであるが、他の手段で係合保持させることもできる。例えば、ソケット取付部材１３の外周面及びソケットカバー１５の内周面のいずれか一方に凸部を形成すると共に、残る他方に凹部を形成しておき、これらの凹凸部を互いに嵌合させることにより係合保持させるようにしてもよい。
【００３２】
（６）上記実施形態では、ソケットカバー１５は、外周面にテーパを形成することにより下方外部が上方外部よりも小径となるようにされているが、段差を形成して下方外部が上方外部よりも小径となるようにすることができる。このようにした場合でも、小径部分の存在によりソケットカバー１５の手による把持が容易となる。勿論、いずれの箇所も同径となるようにすることも可能である。
【００３３】
（７）上記実施形態では、ソケットカバー１５は、内周面の雌ねじ１５１部分よりも下方にテーパを形成して下方内部が雌ねじ１５１部分よりも大径となるようにされているが、段差を形成して下方内部が雌ねじ１５１部分よりも大径となるようにすることができる。このようにした場合でも、大径部分の存在により電球ソケット１４とソケットカバー１５との間に空間が形成され、電球ＬＰの形状が大きい場合でも電球ソケット１４への保持を可能とすることができる。勿論、下方内部のいずれの箇所も雌ねじ１５１部分と略同径となるようにすることもできる。
【００３４】
【発明の効果】
以上説明したように、請求項１の発明によれば、電球ソケットの外周を覆うようにソケット取付部材に係合保持され、ソケット取付部材に形成された鍔とで反射部材を挟持するもので、電球の取付側の外部をソケット取付部材側の外部よりも小径にし、かつ電球の取付側の内部をソケット取付部材側の内部よりも大径にした筒状のソケットカバーを備えているので、反射部材の取替え作業や取外し作業を容易に行うことができると共に、電球の形状が大きい場合でも電球ソケットへの電球の保持が可能になる照明器具を得ることができる。
【００３５】
また、請求項２の発明によれば、反射部材がその取付部をソケット取付部材に外嵌させた状態で鍔とソケットカバーとで挟持することにより保持されているので、反射部材を確実に保持できる照明器具を得ることができる。
【００３６】
また、請求項３の発明によれば、ソケットカバーはソケット取付部材に螺合されて係合保持されるので、反射部材を確実に保持することができると共に、反射部材の取替え作業や取外し作業を容易に行える照明器具を得ることができる。
【００３７】
また、請求項４の発明によれば、ソケット取付部材はソケットに接続されたコードが収納されるパイプ部材に取り付けられているので、天井等の設置個所に静止した状態で取り付けることができ、ペンダントとして使用するのに適した照明器具を得ることができる。
【００３８】
また、請求項５の発明によれば、パイプ部材はソケット取付部材をパイプ部材に対して屈曲可能にする自在継手を備えているので、照明方向を変更することができ、スポットライトとして使用するのに適した照明器具を得ることができる。
【図面の簡単な説明】
【図１】本発明の一実施形態に係る照明器具の使用態様の一例を示す斜視図である。
【図２】図１に示す照明器具の要部縦断面図である。
【図３】図１に示す照明器具に用いられるフードの他の形状例を示す図で、（ａ）はフードの一部断面図、（ｂ）はその使用態様の一例を示す図である。
【図４】図１に示す照明器具に用いられるフードの別の形状例を示す図で、（ａ）はフードの一部断面図、（ｂ）はその使用態様の一例を示す図である。
【図５】図１に示す照明器具に用いられるフードに代えて用いられるシェードの構成をを示す図で、（ａ）はシェードの縦断面図、（ｂ）はその使用態様の一例を示す図である。
【図６】図１に示す照明器具の別の使用態様の一例を示す図である。
【符号の説明】
１０  照明器具
１１  取付部材
１２  パイプ部材
１３  ソケット取付部材
１４  電球ソケット
１５  ソケットカバー
１６，１６ａ，１６ｂ  フード（反射部材）
１７  コード
２０  シェード（反射部材）
１２２  自在継手
１３２  雄ねじ
１５１  雌ねじ
１６１，１６１ａ，１６１ｂ  反射部
１６２，１６２ａ，１６２ｂ，２０４  貫通孔
１６３，１６３ａ，１６３ｂ，２０５  取付部
２０２  シェード本体（反射部）
【図１】
0003542747.tif 000002
【図２】
0003542747.tif 000003
【図３】
0003542747.tif 000004
【図４】
0003542747.tif 000005
【図５】
0003542747.tif 000006
【図６】
0003542747.tif 000007